(57)【要約】【課題】  作業者が組立式容器を折り畳む際に、どのように当該組立式容器を折り畳むべきかを容易に理解可能な折り畳み可能な組立式容器を提供する。【解決手段】  各連接フラップ７〜１０は、折り曲げられる前の状態、つまり平板状に復元しようとするので、第２壁板部３及び第４壁板部５それぞれは、底板部１に近づくように自発的に変位する。したがって、組立式容器が作業者により押し潰されると、第１壁板部２〜第４壁板部５、第１連接フラップ７〜第４連接フラップ１０、第１ロックフラップ１１、及び第２ロックフラップ１２が、底板部１の外形寸法内に収まるように畳み込まれる。【選択図】図６
2018165164.tif 000002
【特許請求の範囲】
【請求項１】
折り畳み可能な組立式容器において、
矩形状の底板部（１）と、
前記底板部（１）のうち対向する一対の辺（Ｌ１、Ｌ２）を折り線として立ち上がった第１壁板部（２）及び第２壁板部（３）と、
前記底板部（１）のうち前記一対の辺（Ｌ１、Ｌ２）と異なる一対の辺（Ｌ３、Ｌ４）を折り線として立ち上がった第３壁板部（４）及び第３壁板部（５）であって、前記底板部（１）、前記第１壁板部（２）及び第２壁板部（３）と協働して収容空間（６）を構成する第３壁板部（４）及び第３壁板部（５）と、
前記第１壁板部（２）及び前記第３壁板部（４）に連接し、当該第１壁板部（２）と当該第３壁板部（４）と繋ぐ略矩形状の第１連接フラップ（７）であって、対角線を折り線として折り曲げられ、一部が前記第３壁板部（４）の外面に接着された第１連接フラップ（７）と、
前記第１壁板部（２）及び前記第４壁板部（５）に連接し、当該第１壁板部（２）と当該第４壁板部（５）と繋ぐ略矩形状の第２連接フラップ（８）であって、対角線を折り線として折り曲げられ、一部が前記第４壁板部（５）の外面に接着された第２連接フラップ（８）と、
前記第２壁板部（３）及び前記第３壁板部（４）に連接し、当該第２壁板部（３）と当該第３壁板部（４）と繋ぐ略矩形状の第３連接フラップ（９）であって、対角線を折り線として折り曲げられ、一部が前記第３壁板部（４）の外面に接着された第３連接フラップ（９）と、
前記第２壁板部（３）及び前記第４壁板部（５）に連接し、当該第２壁板部（３）と当該第４壁板部（５）と繋ぐ略矩形状の第４連接フラップ（１０）であって、対角線を折り線として折り曲げられ、一部が前記第４壁板部（５）の外面に接着された第４連接フラップ（１０）と、
前記第３壁板部（４）と連接するとともに、当該第３壁板部（４）の上端を折り線として下方側に延びる第１ロックフラップ（１１）であって、前記第１連接フラップ（７）及び前記第３連接フラップ（９）を外側から覆う第１ロックフラップ（１１）と、
前記第１ロックフラップ（１１）の下端側に設けられ、前記第３壁板部（４）に設けられた水平方向に延びる第１差込口（４Ａ）に差し込まれる第１差込フラップ（１３Ａ）と、
前記第４壁板部（５）と連接するとともに、当該第４壁板部（５）の上端を折り線として下方側に延びる第２ロックフラップ（１２）であって、前記第２連接フラップ（８）及び前記第４連接フラップ（１０）を外側から覆う第２ロックフラップ（１２）と、
前記第２ロックフラップ（１２）の下端側に設けられ、前記第４壁板部（５）に設けられた水平方向に延びる第２差込口（５Ａ）に差し込まれる第２差込フラップ（１３Ｂ）と、
前記第１ロックフラップ（１１）の下端側に設けられ、前記第１差込口（４Ａ）の延び方向端部（）より下方側まで延出した第１延出部（１４Ａ、１４Ｂ）と、
前記第２ロックフラップ（１２）の下端側に設けられ、前記第２差込口（５Ａ）の延び方向端部（）より下方側まで延出した第２延出部（１５Ａ、１５Ｂ）と
を備える組立容器。
【請求項２】
前記第３壁板部（４）と前記第１連接フラップ（７）との折り線、前記第３壁板部（５）と前記第２連接フラップ（８）との折り線、前記第３壁板部（４）と前記第３連接フラップ（９）との折り線、及び前記第４壁板部（５）と前記第４連接フラップ（１０）との折り線には、それら折り線に沿って延びる長穴（１６Ａ〜１６Ｄ）が設けられている請求項１に記載の組立容器。
【発明の詳細な説明】
【技術分野】
【０００１】
本願は、折り畳み可能な組立式容器に関する。
【背景技術】
【０００２】
例えば、特許文献１の組立式容器は、角部の折り出し部が側壁の外面側に位置している。なお、外面側とは、側壁を挟んで当該容器の収容空間と反対側をいう。
【先行技術文献】
【特許文献】
【０００３】
【特許文献１】特開２００３ー２１２２２９号公報
【発明の概要】
【発明が解決しようとする課題】
【０００４】
本願は、作業者が組立式容器を折り畳む際に、どのように当該組立式容器を折り畳むべきかを容易に理解可能な折り畳み可能な組立式容器を提供する。
【課題を解決するための手段】
【０００５】
組立式容器は、以下（Ａ）〜（Ｍ）を備える。
（Ａ）矩形状の底板部（１）と、
（Ｂ）底板部（１）のうち対向する一対の辺（Ｌ１、Ｌ２）を折り線として立ち上がった第１壁板部（２）及び第２壁板部（３）
（Ｃ）底板部（１）のうち一対の辺（Ｌ１、Ｌ２）と異なる一対の辺（Ｌ３、Ｌ４）を折り線として立ち上がった第３壁板部（４）及び第３壁板部（５）であって、底板部（１）、第１壁板部（２）及び第２壁板部（３）と協働して収容空間（６）を構成する第３壁板部（４）及び第３壁板部（５）
（Ｄ）第１壁板部（２）及び第３壁板部（４）に連接し、当該第１壁板部（２）と当該第３壁板部（４）と繋ぐ略矩形状の第１連接フラップ（７）であって、対角線を折り線として折り曲げられ、一部が第３壁板部（４）の外面に接着された第１連接フラップ（７）
（Ｅ）第１壁板部（２）及び第４壁板部（５）に連接し、当該第１壁板部（２）と当該第４壁板部（５）と繋ぐ略矩形状の第２連接フラップ（８）であって、対角線を折り線として折り曲げられ、一部が第４壁板部（５）の外面に接着された第２連接フラップ（８）
（Ｆ）第２壁板部（３）及び第３壁板部（４）に連接し、当該第２壁板部（３）と当該第３壁板部（４）と繋ぐ略矩形状の第３連接フラップ（９）であって、対角線を折り線として折り曲げられ、一部が第３壁板部（４）の外面に接着された第３連接フラップ（９）
（Ｇ）第２壁板部（３）及び第４壁板部（５）に連接し、当該第２壁板部（３）と当該第４壁板部（５）と繋ぐ略矩形状の第４連接フラップ（１０）であって、対角線を折り線として折り曲げられ、一部が第４壁板部（５）の外面に接着された第４連接フラップ（１０）
（Ｈ）第３壁板部（４）と連接するとともに、当該第３壁板部（４）の上端を折り線として下方側に延びる第１ロックフラップ（１１）であって、第１連接フラップ（７）及び第３連接フラップ（９）を外側から覆う第１ロックフラップ（１１）
（Ｉ）第１ロックフラップ（１１）の下端側に設けられ、第３壁板部（４）に設けられた水平方向に延びる第１差込口（４Ａ）に差し込まれる第１差込フラップ（１３Ａ）
（Ｊ）第４壁板部（５）と連接するとともに、当該第４壁板部（５）の上端を折り線として下方側に延びる第２ロックフラップ（１２）であって、第２連接フラップ（８）及び第４連接フラップ（１０）を外側から覆う第２ロックフラップ（１２）
（Ｋ）第２ロックフラップ（１２）の下端側に設けられ、第４壁板部（５）に設けられた水平方向に延びる第２差込口（５Ａ）に差し込まれる第２差込フラップ（１３Ｂ）
（Ｌ）第１ロックフラップ（１１）の下端側に設けられ、第１差込口（４Ａ）の延び方向端部（）より下方側まで延出した第１延出部（１４Ａ、１４Ｂ）
（Ｍ）第２ロックフラップ（１２）の下端側に設けられ、第２差込口（５Ａ）の延び方向端部（）より下方側まで延出した第２延出部（１５Ａ、１５Ｂ）
以上の（Ａ）〜（Ｍ）により、誰が折り畳んでも同様な折り畳み方となるので、組立式容器を繰り返して使用する際の耐久性を向上させることが可能となり得る。さらに、誰が折り畳んでも同様な折り畳み方となると、折り畳まれた組立式容器の大きさが均一化されるので、折り畳まれた組立式容器の取り扱いが容易となる。
【０００６】
第１延出部（１４Ａ、１４Ｂ）は、第１ロックフラップ（１１）の下端から第１差込口（４Ａ）の延び方向端部より下方側まで延出している。第２延出部（１５Ａ、１５Ｂ）は、第２差込口（５Ａ）の延び方向端部より下方側まで延出している。
【０００７】
これにより、第１差込口（４Ａ）の延び方向端部、及び第２差込口（５Ａ）の延び方向端部に応力が集中することを緩和できる。延いては、組立式容器の耐久性を向上させることが可能となる。
【０００８】
因みに、上記各括弧内の符号は、後述する実施形態に記載の具体的構成等との対応関係を示す一例であり、本発明は上記括弧内の符号に示された具体的構成等に限定されるものではない。
【図面の簡単な説明】
【０００９】
【図１】本発明の実施形態に係る組立式容器の斜視図である。
【図２】本発明の実施形態に係る組立式容器の折り畳まれた状態の斜視図である。
【図３】本発明の実施形態に係る組立式容器の展開図である。
【図４】Ａ〜Ｃは、本発明の実施形態に係る組立式容器の第１連接フラップ７部分の斜視図である。
【図５】本発明の実施形態に係る組立式容器の側面図である。
【図６】本発明の実施形態に係る組立式容器の特徴の説明図である。
【図７】本発明の実施形態に係る組立式容器の特徴の説明図である。
【発明を実施するための形態】
【００１０】
以下に説明する「発明の実施形態」は、本願発明の技術的範囲に属する実施形態の一例を示すものである。つまり、特許請求の範囲に記載された発明特定事項等は、下記の実施形態に示された具体的構成や構造等に限定されるものではない。
【００１１】
以下、本発明の実施形態を図面と共に説明する。なお、各図に付された方向を示す矢印等は、各図相互の関係を理解し易くするために記載したものである。本発明は、各図に付された方向に限定されるものではない。
【００１２】
少なくとも符号を付して説明した部材又は部位は、「１つの」等の断りをした場合を除き、少なくとも１つ設けられている。つまり、「１つの」等の断りがない場合には、当該部材は２以上設けられていてもよい。
【００１３】
（第１実施形態）
１．組立式容器の概要
本実施形態は、食品用容器に本発明に係る組立式容器を適用したものである。図１に示す組立式容器は、食品やその他の物品が収納可能な容器である。当該組立式容器の利用者は、組立式容器に物品が収納されていない場合に、当該組立式容器を図２に示す状態に折り畳むことができる。これにより、利用者は、本実施形態に係る組立式容器を繰り返して利用することができる。
【００１４】
２．組立式容器の構成
組立式容器は、図３に示すように、底板部１、第１壁板部２〜第４壁板部５、第１連接フラップ７〜第４連接フラップ１０、第１ロックフラップ１１、第２ロックフラップ１２、第１差込フラップ１３Ａ、第２差込フラップ１３Ｂ、第１延出部１４Ａ、１４Ｂ及び第２延出部１５Ａ、１５Ｂ等を構成要素として構成されている。
【００１５】
底板部１、第１壁板部２〜第４壁板部５は、図１に示すように、互い協働して物品を収容するための収容空間６を構成する。収容空間６は、上方側が開放された略六面体状の空間である。
【００１６】
なお、上下方向（鉛直方向）及び水平方向等の方向は、特に断りをした場合を除き、図１に示す方向、つまり組立式容器が現実に使用される状態（以下、使用状態という。）における方向をいう。
【００１７】
２．１  組立式容器の各構成要素の説明
図１に示すように、底板部１は矩形板状の部位であって、収容空間６の底部を構成する。第１壁板部２及び第２壁板部３は、底板部１のうち対向する一対の辺Ｌ１、Ｌ２（図３参照）を折り線として立ち上がった矩形板状の部位である。
【００１８】
つまり、第１壁板部２及び第２壁板部３は、水平方向（図１の紙面左右方向）において、互いに対向した状態で当該水平方向（以下、第１方向という。）に離間している。なお、第１壁板部２及び第２壁板部３は、使用状態において、第１方向に対して略直交した壁面を構成する。
【００１９】
第３壁板部４及び第４壁板部５は、底板部１のうち一対の辺Ｌ１、Ｌ２と異なる一対の辺Ｌ３、Ｌ４（図３参照）を折り線として立ち上がった矩形板状の部位である。第２壁板部３及び第２壁板部３は、第１方向と直交する水平方向において、互いに対向した状態で当該水平方向（以下、第２方向という。）に離間している。なお、第３壁板部４及び第４壁板部５は、使用状態において、第２方向に対して略直交した壁面を構成する。
【００２０】
第１連接フラップ７は、図３に示すように、第１壁板部２及び第３壁板部４に連接し、当該第１壁板部２と当該第３壁板部４と繋ぐ略矩形状の部位である。第１連接フラップ７は、対角線Ｌ５を折り線として折り曲げられ、一部（斜線部分）が第３壁板部４の外面に接着されている（図４Ａ〜図４Ｃ参照）。
【００２１】
「第３壁板部４の外面」とは、第２方向と略直交する第３壁板部４の壁面のうち、収容空間６と反対側の面をいう。なお、本実施形態では、対角線Ｌ５の中央部分に略Ｌ字状の切り込み部Ｓ１（図３参照）が設けられている。その理由は、第１連接フラップ７と第３壁板部４との接着面積を大きくするためである。
【００２２】
第２連接フラップ８〜第４連接フラップ１０は、第１連接フラップ７と同一な構成である。すなわち、第２連接フラップ８は、第１連接フラップ７に対して第１方向中央に対して線対称となる構成である。
【００２３】
第３連接フラップ９は、第１連接フラップ７に対して第２方向中央に対して線対称となる構成である。第４連接フラップ１０は、第３連接フラップ９に対して第１方向中央に対して線対称となる構成である。
【００２４】
具体的には、第２連接フラップ８は、第１壁板部２及び第４壁板部５に連接し、当該第１壁板部２と当該第４壁板部５と繋ぐ略矩形状の部位である（図３参照）。第２連接フラップ８は、対角線Ｌ６を折り線として折り曲げられ、一部（斜線部分）が第４壁板部５の外面に接着されている
第３連接フラップ９は、第２壁板部３及び第３壁板部４に連接し、当該第２壁板部３と当該第３壁板部４と繋ぐ略矩形状の部位である（図３参照）。第３連接フラップ９は、対角線Ｌ７を折り線として折り曲げられ、一部（斜線部分）が第３壁板部４の外面に接着されている。
【００２５】
第４連接フラップ１０は、第２壁板部３及び第４壁板部５に連接し、当該第２壁板部３と当該第４壁板部５と繋ぐ略矩形状の部位である（図３参照）。第４連接フラップ１０は、対角線Ｌ８を折り線として折り曲げられ、一部（斜線部分）が第４壁板部５の外面に接着されている。
【００２６】
第１ロックフラップ１１は、第３壁板部４と連接するとともに（図３参照）、当該第３壁板部４の上端を折り線Ｌ９として下方側に延びる部位である（図１参照）。第１ロックフラップ１１は、図５に示すように、第１連接フラップ７及び第３連接フラップ９を外側から覆う。
【００２７】
なお、折り線Ｌ９は、２本の折り線により構成されている（図３参照）。これは、第１ロックフラップ１１は、第１連接フラップ７及び第３連接フラップ９を外側から覆うからである。つまり、折り線Ｌ９を構成する２本の折り線は、少なくとも第１連接フラップ７及び第３連接フラップ９それぞれの厚み寸法以上は離間している。
【００２８】
第２ロックフラップ１２は、第１ロックフラップ１１と第２方向中央に対して線対称となる構成である。具体的には、第２ロックフラップ１２は、第４壁板部５と連接するとともに、当該第４壁板部５の上端を折り線Ｌ１０として下方側に延びている。当該第２ロックフラップ１２は、第２連接フラップ８及び第４連接フラップ１０を外側から覆う。
【００２９】
第３壁板部４には、図３に示すように、第１差込口４Ａが設けられている。第４壁板部５に第２差込口５Ａが設けられている。第１差込口４Ａ及び第２差込口５Ａは、水平方向に延びるスリット状の開口である（図１参照）。
【００３０】
第１差込口４Ａ及び第２差込口５Ａは、第３壁板部４及び第４壁板部５それぞれの水平方向略中央を中心として、第１壁板部２側及び第２壁板部３側に延びた開口である。第１差込口４Ａ及び第２差込口５Ａの延び方向中央には、底板部１側に窪んだ凹部４Ｂ、５Ｂが設けられている。
【００３１】
第１ロックフラップ１１の下端側には、図５に示すように、第１差込口４Ａに差し込まれる第１差込フラップ１３Ａが設けられている。第１差込フラップ１３Ａは、第３壁板部４の外側から第１差込口４Ａに差し込まれる。このため、第１連接フラップ７及び第３連接フラップ９は、第３壁板部４と第１ロックフラップ１１とにより挟まれた状態となるとともに、当該状態が保持される。
【００３２】
第２ロックフラップ１２の下端側に、第２差込口５Ａに差し込まれる第２差込フラップ１３Ｂ（図３参照）が設けられている。したがって、第３壁板部４側と同様に、第２連接フラップ８及び第４連接フラップ１０は、第４壁板部５と第２ロックフラップ１２とにより挟まれた状態となるとともに、当該状態が保持される。
【００３３】
第１ロックフラップ１１の下端側には、図５に示すように、第１延出部１４Ａ、１４Ｂが設けられている。第１延出部１４Ａ、１４Ｂは、第１ロックフラップ１１の下端から第１差込口４Ａの延び方向端部より下方側まで延出している。
【００３４】
同様に、第２ロックフラップ１２の下端側には第２延出部１５Ａ、１５Ｂ（図３参照）が設けられている。第２延出部１５Ａ、１５Ｂは、第２差込口５Ａの延び方向端部より下方側まで延出している。
【００３５】
「第１ロックフラップ１１の下端」は、図３に示すように、第１差込フラップ１３Ａと第１ロックフラップ１１との境界である。本実施形態では、第１差込フラップ１３Ａのうち水平方向寸法が最大となる部位が上記「境界」である。なお、「第２ロックフラップ１２の下端」も「第１ロックフラップ１１の下端」と同様である。
【００３６】
そして、第３壁板部４と第１連接フラップ７との折り線Ｌ１１、第４壁板部５と前記第２連接フラップ８との折り線Ｌ１２、第３壁板部４と第３連接フラップ９との折り線Ｌ１２、及び第４壁板部５と第４連接フラップ１０との折り線Ｌ１４には、それら折り線Ｌ１１〜Ｌ１４に沿って延びる長穴１６Ａ〜１６Ｄが設けられている。
【００３７】
３．本実施形態に係る組立式容器の特徴
第１差込フラップ１３Ａが第１差込口４Ａに挿入され、かつ、第２差込フラップ１３Ｂが第２差込口５Ａに差し込まれた状態では、図１に示すように、組立式容器は、上方側が開放されたトレイ状となっている。
【００３８】
このとき、第１連接フラップ７及び第３連接フラップ９は、それぞれの対角線Ｌ５、Ｌ７にて折り曲げられた状態で、第３壁板部４及び第１ロックフラップ１１により挟み込まれて拘束されている。
【００３９】
第２連接フラップ８及び第４連接フラップ１０は、それぞれの対角線Ｌ６、Ｌ８にて折り曲げられた状態で、第４壁板部５及び第２ロックフラップ１２により挟み込まれて拘束されている。
【００４０】
そして、第１差込フラップ１３Ａ及び第２差込フラップ１３Ｂが第１差込口４Ａ及び第２差込口５Ａから外されると、折り曲げられていた第１連接フラップ７〜第４連接フラップ１０は、第１ロックフラップ１１及び第２ロックフラップ１２による拘束から解放される。
【００４１】
このため、各連接フラップ７〜１０は、折り曲げられる前の状態、つまり平板状に復元しようとするので、図６に示すように、第２壁板部３及び第４壁板部５それぞれは、底板部１に近づくように自発的に変位する。
【００４２】
したがって、図６に示す状態の組立式容器が作業者により押し潰されると、図７に示すように、第１壁板部２〜第４壁板部５、第１連接フラップ７〜第４連接フラップ１０、第１ロックフラップ１１、及び第２ロックフラップ１２が、底板部１の外形寸法内に収まるように畳み込まれる。
【００４３】
つまり、作業者は、特段の意識をすることなく、「どのように組立式容器を折り畳むべきかを容易に理解可能」となる。延いては、誰が折り畳んでも同様な折り畳み方となるので、組立式容器を繰り返して使用する際の耐久性を向上させることが可能となり得る。
【００４４】
そして、誰が折り畳んでも同様な折り畳み方となり得るので、折り畳まれた組立式容器の大きさが均一化される。したがって、折り畳まれた組立式容器の取り扱いが容易となる。
【００４５】
組立式容器が折り畳まれた状態では、第１壁板部２〜第４壁板部５、第１連接フラップ７〜第４連接フラップ１０、第１ロックフラップ１１、及び第２ロックフラップ１２が、底板部１の外形寸法内に収まる。これにより、折り畳まれた状態の組立式容器を回収する際の回収作業性が向上する。
【００４６】
第１延出部１４Ａ、１４Ｂは、第１ロックフラップ１１の下端から第１差込口４Ａの延び方向端部より下方側まで延出している。第２延出部１５Ａ、１５Ｂは、第２差込口５Ａの延び方向端部より下方側まで延出している。
【００４７】
これにより、第１差込フラップ１３Ａが第１差込口４Ａに挿入され、かつ、第２差込フラップ１３Ｂが第２差込口５Ａに差し込まれた状態において、第１延出部１４Ａ、１４Ｂが第３壁板部４の外面に接触し（図５参照）、第２延出部１５Ａ、１５Ｂは第４壁板部５の外面に接触する。
【００４８】
したがって、第１差込口４Ａの延び方向端部、及び第２差込口５Ａの延び方向端部に応力が集中することを緩和できる。延いては、組立式容器の耐久性を向上させることが可能となる。
【００４９】
折り線Ｌ１１〜Ｌ１４に沿って延びる長穴１６Ａ〜１６Ｄが設けられている（図３参照）。これにより、第３壁板部４、第４壁板部５及び第１連接フラップ７〜第４連接フラップ１０を折り曲げる際に、折り線Ｌ１１〜Ｌ１４が破断することを抑制でき得る。
【００５０】
（その他の実施形態）
上述の実施形態では、食品用容器に本発明に係る組立式容器を適用した。しかし、本願明細書に開示された発明はこれに限定されるものではない。
【００５１】
上述の実施形態に係る第１差込口４Ａ及び第２差込口５Ａは、底板部１側が滑らかな円弧状であった。しかし、本願明細書に開示された発明はこれに限定されるものではない。
上述の実施形態では、折り線Ｌ１１〜Ｌ１４に沿って延びる長穴１６Ａ〜１６Ｄが設けられていた。しかし、本願明細書に開示された発明はこれに限定されるものではない。
【００５２】
さらに、本発明は、特許請求の範囲に記載された発明の趣旨に合致するものであればよく、上述の実施形態に限定されるものではない。したがって、上述した複数の実施形態のうち少なくとも２つの実施形態を組み合わせてもよい。
【符号の説明】
【００５３】
１… 底板部  ２… 第１壁板部  ３… 第２壁板部  ４… 第３壁板部
４Ａ… 第１差込口  ５… 第４壁板部  ５Ａ… 第２差込口
６… 収容空間  ７… 第１連接フラップ  ８… 第２連接フラップ
９… 第３連接フラップ  １０… 第４連接フラップ
１１… 第１ロックフラップ  １２… 第２ロックフラップ
１３Ａ… 第１差込フラップ  １３Ｂ… 第２差込フラップ
１４Ａ… 第１延出部  １５Ａ… 第２延出部
【図１】
2018165164.tif 000003
【図２】
2018165164.tif 000004
【図３】
2018165164.tif 000005
【図４】
2018165164.tif 000006
【図５】
2018165164.tif 000007
【図６】
2018165164.tif 000008
【図７】
2018165164.tif 000009